(57)【要約】【課題】リアプロジェクションフィルムを用いて、大型の映像を簡単かつ容易に投影可能なスクリーン器具を提供する。【解決手段】第一の大きさのネジ穴および第二の大きさの複数のネジ穴を備える有機ガラス層とリアプロジェクションフィルム層とから構成される複数のスクリーンを、少なくとも上枠フレームと下枠フレームにはネジを固定可能な溝を有し、上枠フレームと左枠フレームと右枠フレームと下枠フレームとから構成されるスクリーン枠に固定することで構成されるスクリーン器具であって、前記複数のスクリーンは、それぞれ第一の大きさのネジ穴にネジを通して前記上枠スクリーン枠に留めた後、第二の大きさの複数のネジ穴にネジを通して前記上枠フレームおよび下枠フレームに留めることで、前記スクリーン枠へ固定されることを特徴とする。【選択図】図５
0003171008.tif 000002
【実用新案登録請求の範囲】
【請求項１】
第一の大きさのネジ穴および第二の大きさの複数のネジ穴を備える有機ガラス層とリアプロジェクションフィルム層とから構成される複数のスクリーンを、少なくとも上枠フレームと下枠フレームにはネジを固定可能な溝を有し、上枠フレームと左枠フレームと右枠フレームと下枠フレームとから構成されるスクリーン枠に固定することで構成されるスクリーン器具であって、
前記複数のスクリーンは、それぞれ第一の大きさのネジ穴にネジを通して前記上枠スクリーン枠に留めた後、第二の大きさの複数のネジ穴にネジを通して前記上枠フレームおよび下枠フレームに留めることで、前記スクリーン枠へ固定されることを特徴とするスクリーン器具。
【請求項２】
前記第二の大きさの複数のネジ穴にネジを通して前記下枠フレームに留めた後、一つのネジを外した状態で、前記スクリーンが前記スクリーン枠へ固定されることを特徴とする請求項１に記載のスクリーン器具。
【請求項３】
前記有機ガラス層は、上枠フレームへネジ留め可能な位置に、第一の大きさのネジ穴を１つと第二の大きさのネジ穴を２つ備え、下枠フレームへネジ留め可能な位置に、第二の大きさのネジ穴を３つ備え、
前記第一の大きさのネジ穴は、前記第二の大きさの２つのネジ穴の間に配置されるものであり、前記ネジを外す第二の大きさのネジ穴は、前記第二の大きさの３つのネジ穴のうち真ん中の位置に配置されるものであることを特徴とする請求項２に記載のスクリーン器具。
【考案の詳細な説明】
【技術分野】
【０００１】
リアプロジェクションフィルムを用いたスクリーン器具に関する。
【背景技術】
【０００２】
現在、特許文献１に開示されるような技術を応用したリアプロジェクション用の専用フィルムをガラス面へ貼り付けて、プロジェクタで映像を投影することにより、ガラス面を映像メディアとして活用する技術が知られている。
【先行技術文献】
【特許文献】
【０００３】
【特許文献１】特表２００２−５４４１１４号公報
【考案の概要】
【考案が解決しようとする課題】
【０００４】
しかしながら、大型の映像を投影しようとした場合、（１）リアプロジェクションフィルムを張り付けるために適当な大きさを備え、かつ映像を投影するのに適した方向を向いているガラス面が必要となる。（２）拡散防止膜付きのガラス面の場合、リアプロジェクションフィルムを上から張り付けてしまうと拡散防止膜と共にフィルムが剥がれてしまうおそれがあるため、フィルムを貼り付けるのに適さない。というような問題もある。
【０００５】
また、そもそも固定されたガラス面に一旦貼り付けてしまうと気軽に場所の移動ができないという問題もある。
【０００６】
さらには、現状のリアプロジェクションフィルムは、ロール状態で提供されていることから幅に上限があり、大型化を図るためには複数枚組み合わせる必要がある。
【０００７】
したがって、リアプロジェクションフィルムを用いて、大型の映像を簡単かつ容易に投影可能とする方法が望まれている。
【０００８】
そこで、本考案は、上記課題を解決するものであり、リアプロジェクションフィルムを用いて、大型の映像を簡単かつ容易に投影可能なスクリーン器具を提供することを目的とする。
【課題を解決するための手段】
【０００９】
本考案は、第一の大きさのネジ穴および第二の大きさの複数のネジ穴を備える有機ガラス層とリアプロジェクションフィルム層とから構成される複数のスクリーンを、少なくとも上枠フレームと下枠フレームにはネジを固定可能な溝を有し、上枠フレームと左枠フレームと右枠フレームと下枠フレームとから構成されるスクリーン枠に固定することで構成されるスクリーン器具であって、前記複数のスクリーンは、それぞれ第一の大きさのネジ穴にネジを通して前記上枠スクリーン枠に留めた後、第二の大きさの複数のネジ穴にネジを通して前記上枠フレームおよび下枠フレームに留めることで、前記スクリーン枠へ固定されることを特徴とする。
【考案の効果】
【００１０】
本考案によれば、リアプロジェクションフィルムを用いて、大型の映像を簡単かつ容易に投影可能なスクリーン器具を提供することができる。
【図面の簡単な説明】
【００１１】
【図１】本考案の実施の形態におけるスクリーンの構成を説明する図である。
【図２】本考案の実施の形態におけるスクリーン枠の構成（正面図）を説明する図である。
【図３】本考案の実施の形態におけるスクリーン枠の構成（側面図）を説明する図である。
【図４】上枠フレーム２１もしくは下枠フレーム２４の側面図（１）である。
【図５】本考案の実施の形態におけるスクリーン器具の構成（背面図）を説明する図である。
【図６】本考案の実施の形態におけるスクリーン器具の構成（正面図）を説明する図である。
【図７】上枠フレーム２１もしくは下枠フレーム２４の側面図（２）である。
【考案を実施するための形態】
【００１２】
以下、図面を用いて説明をする。
【００１３】
図１は、本考案の実施の形態におけるスクリーンの構成を説明する図である。
【００１４】
側面図に示す通り、本実施の形態におけるスクリーンは、有機ガラス層１にリアプロジェクション層２を直接張り付ける構成となっている。直接張り付けていることから、中間層（例えば、拡散防止膜）の影響を受けて剥がれ落ちることがない。
【００１５】
リアプロジェクション層２には、特許文献１に記載の技術等が応用されているリアプロジェクションフィルムを用いている。なお、現状、リアプロジェクションフィルムは、ロール状で提供されている。
【００１６】
有機ガラス層１には、例えば、透明性・軽量性・耐衝撃性・加工容易性等に優れるポリカーボネート製の板を採用することができる。ただし、これに限られず、同様の性質を備えるアクリル樹脂等を採用することも可能である。
【００１７】
正面図に示す通り、有機ガラス層１の方がリアプロジェクション層２より上下に長い構成となっている。更に、上下部分それぞれにネジ穴を３つ設けている。ここで、ネジ穴１〜６のうち、ネジ穴２のみ、他のネジ穴より小さい穴となっている。例えば、本実施の形態では、ネジ穴１、３〜６の直径は、８ｍｍであるのに対し、ネジ穴２の直径は６ｍｍとなっている。この穴の大きさの違いについては、後に説明する。
【００１８】
図２および図３は、本考案の実施の形態におけるスクリーン枠の構成を説明する図である。
【００１９】
図２は、スクリーン枠の正面図を示している。また、図３は、スクリーン枠の側面図を示している。
【００２０】
図２に示す通り、スクリーン枠は、上枠フレーム２１、左枠フレーム２２、右枠フレーム２３、下枠フレーム２４によって「枠」が構成される。それぞれのフレームは、ネジ等を用いてそれぞれ固定可能な構成となっている。
【００２１】
また、図３に示す通り、スクリーン枠の左枠フレーム２２と右枠フレーム２３とは、固定具２７と固定具２８とにより、それぞれ支えフレーム２５と支えフレーム２６とに固定される。これによって、上枠フレーム２１、左枠フレーム２２、右枠フレーム２３、下枠フレーム２４からなる「枠」を地面から垂直の位置に立てることができるスクリーン枠が構成される。
【００２２】
なお、本実施の形態では、少なくとも上枠フレーム２１と下枠フレーム２４とは、溝部を備えているものとする。
【００２３】
図４は、上枠フレーム２１もしくは下枠フレーム２４の側面図である。
【００２４】
上枠フレーム２１と下枠フレーム２４とは、図４に示すような溝部を備えており、スクリーンをスクリーン枠へネジ止め固定する際に、この溝部を用いる。詳細は後に説明する。
【００２５】
図５および図６は、本考案の実施の形態におけるスクリーン器具の構成を説明する図である。
【００２６】
図５は、スクリーン器具の背面図を示している。また、図６は、スクリーン器具の正面図を示している。
【００２７】
図５に示す通り、本実施の形態では、スクリーン器具は、スクリーン枠と第一のスクリーンと第二のスクリーンから構成されている。
【００２８】
これは、上述した通り、現状、リアプロジェクションフィルムは、横幅に制限があるため、大型のスクリーンを構成するためには、複数のスクリーンを組み合わせる必要があるからである。なお、スクリーンの数は、２つに限られずいくつであっても良い。その場合、数に応じてスクリーン枠の横幅、つまり上枠スクリーンと下枠スクリーンの幅を広くすれば良い。スクリーンの数を増やすことで、より大きなサイズの映像を投影することができるスクリーン器具となる。
【００２９】
なお、第一のスクリーンと第二のスクリーンとは、ネジ留部によりスクリーン枠へ固定されている。
【００３０】
ここで、本実施の形態における第一のスクリーンと第二のスクリーンとをスクリーン枠へ固定する手順について説明する。
【００３１】
本実施の形態において、スクリーンを構成する有機ガラス層の素材としてポリカーボネートを採用した場合、ポリカーボネートの特性として多少のタワミが生じることがある。つまり、ポリカーボネートは、加工が容易な形が変わり易く、常に完全な平面状態を維持するとは限らないからである。
【００３２】
そのため、第一のスクリーンと第二のスクリーンを並べて接地する際には、接触部のスクリーン表面部分において、たわみに基づいてずれることを防止する工夫が必要となる。
【００３３】
そこで、次の手順により第一のスクリーンと第二のスクリーンとをスクリーン枠へ取り付ける。
（１）第一のスクリーンと第二のスクリーンの上部のネジ穴２にネジを通して、上枠フレーム２１の溝部で、ネジを緩く固定する。なお、本実施の形態では、直径５ｍｍのネジを使用するものとする。
（２）第一のスクリーンと第二のスクリーンとを上枠フレーム上をスライドさせて位置合わせを行う。
（３）位置合わせをした状態で、上枠フレーム２１のネジ穴１およびネジ穴３にネジを通してネジ留めを行う。この際、ネジ穴２のネジ留めも強く行う。なお、本実施の形態で、ネジ穴２とネジ穴１およびネジ穴３とのネジ穴の大きさが違うのは、スクリーンのワタミを吸収するため余裕を持たせているからである。即ち、最初にネジ留めを行うネジ穴２は、タワミを吸収する目的がないため使用するネジに対して余裕をもった大きさでなくともよいが、ネジ穴１およびネジ穴３は、タワミを吸収しながらネジ留めを行う必要があるため、余裕を持たせた穴の大きさとなっている。
（４）続いて、下枠フレーム２２のネジ穴４からネジ穴６にネジを通して、固定を行う。なお、ネジ留の際、下枠フレーム２２は、スクリーン枠とは固定されていない状態である。これは、スクリーンを下枠フレーム２２と固定した状態で、下枠フレーム２２自体の重みで、スクリーンのタワミを伸ばすためである。
（５）スクリーンを伸ばした状態で、下枠フレーム２２をスクリーン枠に固定する。
（６）下枠フレーム２２のネジ穴５で固定されているネジを外す。これは、ネジ穴２とネジ穴５とが固定されていると、両ネジ穴の間に張力が発生することで、スクリーンの両端にタワミが生じることを防止するためである。
（７）最後に、接触部のスクリーン表面部分に、何箇所かに所定の大きさの透明テープを張る（図６の正面図参照）。これは、第一のスクリーンと第二のスクリーンのずれを防止することを目的とするものである。透明テープであることから光を透過するため、プロジェクタから映像を投影したとしても影が映ることはない。
【００３４】
以上説明した通り、本実施の形態にかかるスクリーン器具は、上記手順を踏んで、複数のスクリーンとスクリーン枠とを固定することで、ワタミが生じることを防止する構成となっている。
【００３５】
そのため、本考案によれば、リアプロジェクションフィルムを用いて、大型の映像を簡単かつ容易に投影可能なスクリーン器具を提供することができる。
【符号の説明】
【００３６】
１  有機ガラス層
２  リアプロジェクションフィルム層
２１  上枠フレーム
２２  左枠フレーム
２３  右枠フレーム
２４  下枠フレーム
２５  支えフレーム
２６  支えフレーム
２７  固定具
２８  固定具
【図１】
0003171008.tif 000003
【図２】
0003171008.tif 000004
【図３】
0003171008.tif 000005
【図４】
0003171008.tif 000006
【図５】
0003171008.tif 000007
【図６】
0003171008.tif 000008
【図７】
0003171008.tif 000009
【手続補正書】
【提出日】平成23年8月8日(2011.8.8)
【手続補正１】
【補正対象書類名】実用新案登録請求の範囲
【補正対象項目名】全文
【補正方法】変更
【補正の内容】
【実用新案登録請求の範囲】
【請求項１】
第一の大きさのネジ穴および第二の大きさの複数のネジ穴を備える有機ガラス層とリアプロジェクションフィルム層とから構成される複数のスクリーンと、少なくとも上枠フレームと下枠フレームにはネジを固定可能な溝を有し、上枠フレームと左枠フレームと右枠フレームと下枠フレームとから構成されるスクリーン枠とが、ネジ穴を通したネジを用いて固定されることにより構成されるスクリーン器具であって、
前記有機ガラス層は、前記上枠フレームへネジ留め可能な位置に、前記第一の大きさのネジ穴を１つと当該第一の大きさのネジ穴の左右の位置に前記第二の大きさのネジ穴を２つ備え、また、前記下枠フレームへネジ留め可能な位置に、前記第二の大きさのネジ穴を３つ備えるものであり、当該複数のネジ穴のうち、前記下枠フレームへネジ留め可能な位置に備える前記第二の大きさの３つのネジ穴のうち真ん中の位置に配置されるネジ穴を除く他のネジ穴を通したネジを用いて、前記スクリーンと前記スクリーン枠とが固定されたことを特徴とするスクリーン器具。
【手続補正２】
【補正対象書類名】明細書
【補正対象項目名】０００９
【補正方法】変更
【補正の内容】
【０００９】
本考案は、第一の大きさのネジ穴および第二の大きさの複数のネジ穴を備える有機ガラス層とリアプロジェクションフィルム層とから構成される複数のスクリーンと、少なくとも上枠フレームと下枠フレームにはネジを固定可能な溝を有し、上枠フレームと左枠フレームと右枠フレームと下枠フレームとから構成されるスクリーン枠とが、ネジ穴を通したネジを用いて固定されることにより構成されるスクリーン器具であって、前記有機ガラス層は、前記上枠フレームへネジ留め可能な位置に、前記第一の大きさのネジ穴を１つと当該第一の大きさのネジ穴の左右の位置に前記第二の大きさのネジ穴を２つ備え、また、前記下枠フレームへネジ留め可能な位置に、前記第二の大きさのネジ穴を３つ備えるものであり、当該複数のネジ穴のうち、前記下枠フレームへネジ留め可能な位置に備える前記第二の大きさの３つのネジ穴のうち真ん中の位置に配置されるネジ穴を除く他のネジ穴を通したネジを用いて、前記スクリーンと前記スクリーン枠とが固定されたことを特徴とする。